【事件の表示】
　特願２０１０−　６３６８９「ボタン電話システムおよび外線捕捉方法」拒絶査定不服審判事件〔平成２３年１０月　６日出願公開、特開２０１１−１９９５６１〕について、次のとおり審決する。
【結　論】
　本件審判の請求は、成り立たない。
【理　由】
１．手続の経緯と本願発明
　本願は、平成２２年３月１９日の出願であって、平成２５年３月１２日に拒絶査定がなされ、これに対し、平成２５年６月７日に審判請求がなされたものであり、その特許請求の範囲の請求項１に係る発明（以下、「本願発明」という。）は、明細書、特許請求の範囲及び図面の記載からみて、特許請求の範囲の請求項１に記載された以下のとおりのものと認める。
　
　「【請求項１】
　複数の外線捕捉キーを有する複数のボタン電話機と、これらボタン電話機および複数の外線を収容する主装置とからなり、前記主装置が前記ボタン電話機と前記外線とを交換接続することにより、前記外線を用いた前記ボタン電話機の通話を実現するボタン電話システムであって、
　前記主装置は、
　前記外線ごとに、当該外線の捕捉および開放に応じて、当該外線の使用状況として使用中状態および空き状態をそれぞれ記憶する外線使用状況テーブルと、
　前記ボタン電話機での前記外線捕捉キーの押下に応じて、前記外線使用状況テーブルを参照して当該外線捕捉キーと対応する前記外線の使用状況を確認し、当該使用状況が空き状態を示す場合には当該外線を捕捉し、当該使用状況が使用中状態を示す場合には、前記外線使用状況テーブルを参照して他の空き状態の外線を選択して捕捉する呼制御部と
　を備えることを特徴とするボタン電話システム。」
　
２．引用発明
　原審の拒絶の理由に引用された特開平７−１５４８３５号公報（以下、「引用例」という。）には、その名称を「ボタン電話装置」として図面とともに以下の事項が記載されている。
　
　イ．「【０００１】
【産業上の利用分野】本発明は、空き外線の自動捕捉機能を有するボタン電話装置に関する。」（２頁１欄９行−１１行）
　
　ロ．「【０００６】
【実施例】図１は、本発明の一実施例におけるボタン電話装置の構成を示すブロック図である。
【０００７】このボタン電話装置の主装置１は、この主装置全体を制御する制御部２と、電話機および外線の状態を記憶するメモリ３と、外線と内線の通話路を接続するスピーチネットワーク４と、外線６の捕捉およびダイヤル送出等を行う外線インタフェース５と、電話機８のオフフックおよび各ボタンの押下を検出する内線インタフェース７とを有する。
【０００８】また、電話機８は、ハンドセット９、外線を選択するための外線ボタン１０、スピーカボタン１１、およびダイヤルボタン１２等を有している。」（２頁１欄３６行−４８行）
　
　ハ．「【０００９】図２は、本実施例における制御部２の動作を示すフローチャートである。
【００１０】まず、内線インタフェース７を介して電話機８のオフフックを検出すると（Ｓ２０１）、メモリ３中に該当電話機の外線ボタン押下による発信があったことを示す外線Ｎｏ．が記憶されているかどうかを判定し（Ｓ２０２）、記憶されている場合は、該当外線が空きであるかどうかを判定する（Ｓ２０３）。
【００１１】Ｓ２０２で外線Ｎｏ．の記憶がない場合、およびＳ２０３で該当外線が空きでない場合には、従来と同様に、例えば老番の外線から空きをサーチし（Ｓ２０４〜Ｓ２０７）、全外線が使用されている場合は、内線インタフェース７を介して電話機８にその旨を通知するビジー処理を行う（Ｓ２０８）。
【００１２】また、Ｓ２０３およびＳ２０５で、該当外線が空いている場合は、外線インタフェース５を制御して該当外線を捕捉し、スピーチネットワーク４を制御して、外線６から電話機８への通話路を接続して、内線インタフェース７を介して電話機８に捕捉した外線の外線ボタン１０を点灯させる（Ｓ２０９）。」（２頁１欄４９行−同頁２欄１８行）
　
　ニ．「【００１６】なお、以上の実施例では、外線ボタン１０の押下検出をオフフック検出の後に行っているが、オフフックを待たずに、外線ボタン１０の押下を検出して、外線Ｎｏ．を記憶するようにしてもよい。」（２頁２欄３５行−３８行）
　
　上記イ．〜ニ．の記載及び図面並びにこの分野における技術常識を考慮すると、
　引用例には、上記イ．に記載のように、空き外線の自動補足機能を有するボタン電話装置に関して記載されている。
　上記ロ．及び図１には、ボタン電話装置の主装置１が、制御部２と、電話機および外線の状態を記憶するメモリ３と、外線と内線の通話路を接続するスピーチネットワーク４と、複数の外線６の捕捉を行う外線インタフェース５と、複数の電話機８のオフフックおよび各ボタンの押下を検出する内線インタフェース７とを有することについて記載され、また、ボタン電話装置の電話機８が、複数の外線を選択するための複数の外線ボタン１０（１０−１〜１０−４）を有することについて記載されている。ここで、図１に内線インターフェースに接続された複数の回線が図示されていること及び技術常識から電話機８が複数台あることは自明である。
　上記ハ．には、主装置１の制御部２の動作として、オフフックを検出すると、外線Ｎｏ．が記憶されている場合に該当外線が空きであるかどうかを判定し、該当外線が空きでない場合には老番の外線から空きをサーチし、全外線が使用されている場合にはビジー処理を行い、該当外線が空いている場合には該当外線を捕捉することが記載されている。ここで、上記ロ．に記載されているように、メモリ３に「電話機および外線の状態」が記憶されていることから、制御部２が外線が空いているか使用しているかどうかをメモリ３の該状態を参照することで判断していることは自明である。
　そして、上記ニ．には、オフフック前に、外線ボタン１０の押下を検出して、外線Ｎｏ．を記憶する実施例が記載されている。
　
　したがって、引用例には、上記ニ．に記載の実施例に基づいた以下の発明（以下、「引用発明」という。）が開示されている。
　
（引用発明）
　「複数の外線を選択するための複数の外線ボタン１０を有する複数の電話機８と、複数の電話機８と外線６が収容された主装置１とからなり、前記主装置１が空き外線の自動捕捉機能を有し、前記電話機８と前記空き外線を接続して通話を可能とするボタン電話装置であって、
　前記主装置１は、
　電話機および外線の状態を記憶するメモリ３と、
　外線ボタン１０の押下を検出して外線Ｎｏ．を記憶した後、オフフックを検出すると、記憶された外線Ｎｏ．による該当外線が空きであるかどうかをメモリ３の電話機および外線の状態から参照し、該当外線が空いている場合には該当外線を捕捉し、該当外線が使用されている場合には老番の外線から空きをサーチし、全外線が使用されている場合にはビジー処理を行う空き外線の自動補足機能を実行する制御部２と
　を備えるボタン電話装置。」
　
３．対比
　本願発明と引用発明とを対比する。
　引用発明の「外線ボタン１０」「電話機８」「外線６」「主装置１」は、それぞれ本願発明の「外線捕捉キー」「ボタン電話機」「外線」「主装置」に相当する。
　引用発明の「ボタン電話装置」は、本願発明の「ボタン電話システム」に相当する。
　引用発明の「メモリ８」には外線の状態が記憶され、該当外線が「空き」であるかどうかの参照に用いられていることから、当該外線の状態は外線ごとに記憶されていることは明らかであり、本願発明の「外線使用状況テーブル」に相当するテーブルが記憶されているといえる。
　引用発明の「制御部２」は、本願発明の「呼制御部」に相当するものの、本願発明の「呼制御部」が、外線捕捉キーの押下に応じて外線を捕捉するのに対して、引用発明の「制御部」は、外線ボタンの押下を検出した後、オフフックを検出すると外線を捕捉する点で相違している。
　
　したがって、本願発明と引用発明は、以下の点で一致ないし相違している。
　
（一致点）
　「複数の外線捕捉キーを有する複数のボタン電話機と、これらボタン電話機および複数の外線を収容する主装置とからなり、前記主装置が前記ボタン電話機と前記外線とを交換接続することにより、前記外線を用いた前記ボタン電話機の通話を実現するボタン電話システムであって、
　前記主装置は、
　前記外線ごとに、当該外線の捕捉および開放に応じて、当該外線の使用状況として使用中状態および空き状態をそれぞれ記憶する外線使用状況テーブルと、
　前記ボタン電話機での外線捕捉操作に応じて、前記外線使用状況テーブルを参照して当該外線捕捉キーと対応する前記外線の使用状況を確認し、当該使用状況が空き状態を示す場合には当該外線を捕捉し、当該使用状況が使用中状態を示す場合には、前記外線使用状況テーブルを参照して他の空き状態の外線を選択して捕捉する呼制御部と
　を備えるボタン電話システム。」
　
（相違点）
　「呼制御部」に関して、本願発明では、外線捕捉キーの押下に応じて外線を捕捉するのに対して、引用発明では、外線ボタンの押下を検出した後、オフフックを検出すると外線を捕捉する点。
　
４．当審の判断
　上記相違点について検討する。
　引用発明においては、外線ボタンが押下されると、該当外線Ｎｏ．が記憶され、その後オフフックされると、記憶された外線Ｎｏ．による該当外線が空きであるかどうかが判断され、外線を捕捉して通話処理に移行している。
　ここでオフフックとは、相手と通話するためにハンドセットを持ち上げることであり、電話機において相手と通話を開始する前に通常行われる動作である。したがって、この通常行われるオフフック動作は通話開始前に行われればそれでよく、引用発明において、オフフックを外線を捕捉した後とすることは当業者であれば適宜なし得ることである。
　そのように為せば、引用発明においても、外線ボタンの押下に応じて外線を捕捉することを当業者は容易に想到するものである。
　
　このように相違点は格別なものでなく、そして、本願発明の作用効果は、引用発明から当業者が予測し得る範囲のものである。
　
５．むすび
　以上のとおり、本願発明は、引用発明に基いて当業者が容易に発明をすることができたものであるから、特許法第２９条第２項の規定により特許を受けることができない。
　
　よって、結論のとおり審決する。